(57)【要約】【課題】認知症患者や乳幼児が、蓋体の開閉操作や回転把手装置の回転把手の動作を自由に行うことができないようにすることができる床開口蓋体用回転把手装置を提供すること。【解決手段】枠体１に回転可能に設けられる操作軸３と、この操作軸３にビス８によって相対的に回転しないように締結され、枠体１内に格納されている回転把手２に形成された突片２３が当接することで回転把手２が回動操作されることを防止する係止片４１を形成したロック軸４と、操作軸３とロック軸４とを締結することで操作軸３に所定の大きさの回転抵抗を付与するウェーブワッシャ６とを備える。【選択図】図３
2018168629.tif 000002
【特許請求の範囲】
【請求項１】
蓋体に固定される枠体と、該枠体に軸支された回転把手とを備えた床開口蓋体用回転把手装置において、前記枠体に回転可能に設けられる操作軸と、該操作軸にビスによって相対的に回転しないように締結され、枠体内に格納されている回転把手に形成された突片が当接することで回転把手が回動操作されることを防止する係止片を形成したロック軸と、前記操作軸とロック軸とを締結することで操作軸に所定の大きさの回転抵抗を付与するウェーブワッシャとを備えてなることを特徴とする床開口蓋体用回転把手装置。
【請求項２】
前記枠体に、スプリングピンを介して、回転把手を軸支したことを特徴とする請求項１に記載の床開口蓋体用回転把手装置。
【発明の詳細な説明】
【技術分野】
【０００１】
本発明は、床開口蓋体用回転把手装置に関するものである。
【背景技術】
【０００２】
従来、床下収納庫や床下点検口の床開口には、開閉可能に蓋体が設けられ、蓋体には、不使用時は蓋体内に格納され、使用時は蓋体内から引き出して蓋体の開閉操作を行うための回転把手装置が設けられている（例えば、特許文献１−２参照。）。
【０００３】
この回転把手装置は、蓋体に固定される枠体と、この枠体に軸支された、平板部及びこの平板部に突設された半円形状の把手部からなる回転把手とを備えている。
【０００４】
そして、回転把手装置は、不使用時は、回転把手の平板部が蓋体（枠体）の表面と略同一平面となるように把手部を蓋体（枠体）内に格納することにより、把手部が邪魔にならないようにされ、使用時（蓋体の開閉操作を行う際）は、回転把手の平板部の一端側を押圧して、枠体に軸支された回転把手を回動させると、蓋体（枠体）内に格納されていた把手部が蓋体（枠体）内から引き出されて、蓋体（枠体）の表面から突出するため、この把手部を把持して蓋体の開閉操作が容易に行えるようになっている。
【０００５】
ところで、この種の回転把手装置においては、不使用時に、蓋体（枠体）内に格納されている回転把手の把手部が、蓋体（枠体）内から引き出されて、蓋体（枠体）の表面から突出することがないように、種々の機構的な工夫（固定手段）が提案されてきた。
【０００６】
これらの機構的な工夫（固定手段）は、主として不可抗力に対するものであって、使用時（蓋体の開閉操作を行う際）には、容易に蓋体（枠体）内に格納されていた回転把手の把手部を蓋体（枠体）内から引き出すことができるようにすることが必要とされていた。
【先行技術文献】
【特許文献】
【０００７】
【特許文献１】実開平６−６３７６２号公報
【特許文献２】実用新案登録第３０７２６４２号公報
【発明の概要】
【発明が解決しようとする課題】
【０００８】
ところで、近年、認知症患者が、自宅や高齢者住宅等において、床下収納庫や床下点検口の床開口に設けられている蓋体の開閉操作してけがをしたり、床下収納庫や床下に物を隠す行為を行う事例が見受けられるようになってきたことから、これに対する対策が要請されていた。
【０００９】
しかしながら、従来よりなされてきた機構的な工夫（固定手段）は、使用時（蓋体の開閉操作を行う際）には、容易に蓋体（枠体）内に格納されていた回転把手の把手部を蓋体（枠体）内から引き出すことができるようにされているため、一定の認知能力を有する者に対しては、意味をなさないという問題があった。
【００１０】
また、このほかにも、乳幼児が回転把手装置の回転把手を動作させることでけがをするという問題があった。
【００１１】
本発明は、上記従来の床下収納庫や床下点検口の床開口蓋体用回転把手装置の有する問題点に鑑み、認知症患者や乳幼児が、蓋体の開閉操作や回転把手装置の回転把手の動作を自由に行うことができないようにすることができる床開口蓋体用回転把手装置を提供することを目的とする。
【課題を解決するための手段】
【００１２】
上記目的を達成するため、本発明の床開口蓋体用回転把手装置は、蓋体に固定される枠体と、該枠体に軸支された回転把手とを備えた床開口蓋体用回転把手装置において、前記枠体に回転可能に設けられる操作軸と、該操作軸にビスによって相対的に回転しないように締結され、枠体内に格納されている回転把手に形成された突片が当接することで回転把手が回動操作されることを防止する係止片を形成したロック軸と、前記操作軸とロック軸とを締結することで操作軸に所定の大きさの回転抵抗を付与するウェーブワッシャとを備えてなることを特徴とする。
【００１３】
この場合において、前記枠体に、スプリングピンを介して、回転把手を軸支することができる。
【発明の効果】
【００１４】
本発明の床開口蓋体用回転把手装置によれば、蓋体に固定される枠体と、該枠体に軸支された回転把手とを備えた床開口蓋体用回転把手装置において、枠体に回転可能に設けられる操作軸と、該操作軸にビスによって相対的に回転しないように締結され、枠体内に格納されている回転把手に形成された突片が当接することで回転把手が回動操作されることを防止する係止片を形成したロック軸と、前記操作軸とロック軸とを締結することで操作軸に所定の大きさの回転抵抗を付与するウェーブワッシャとを備えてなることにより、回転把手が回動操作されることを防止するロック軸を回転操作する操作軸に所定の大きさの回転抵抗を付与することができ、これにより、認知症患者や乳幼児が、蓋体の開閉操作や回転把手装置の回転把手の動作を自由に行うことができないようにすることができ、安全性の高い床開口蓋体用回転把手装置を提供することができる。
【００１５】
また、前記枠体に、スプリングピンを介して、回転把手を軸支することにより、スプリングピンによって、枠体に軸支される回転把手に回動抵抗を付与することができ、回転把手のがたつきをなくすことができる。
【図面の簡単な説明】
【００１６】
【図１】本発明の床開口蓋体用回転把手装置の一実施例を示す平面図である。
【図２】同正面図である。
【図３】同断面図である。
【図４】同底面図である。
【発明を実施するための形態】
【００１７】
以下、本発明の床開口蓋体用回転把手装置の実施の形態を、図面に基づいて説明する。
【００１８】
図１〜図４に、本発明の床開口蓋体用回転把手装置の一実施例を示す。
この回転把手装置は、従来の回転把手装置と同様、床下収納庫や床下点検口の床開口に開閉可能に設けられる蓋体Ｆに設けられる、不使用時は蓋体Ｆ内に格納され、使用時は蓋体Ｆ内から引き出して蓋体Ｆの開閉操作を行うためのもので、蓋体Ｆに固定される枠体１と、この枠体１に軸支された、平板部２１及びこの平板部２１に突設された半円形状の把手部２２からなる回転把手２とを備えたものである。
ここで、蓋体Ｆは、床開口にヒンジを介して取り付けられたり、嵌め込み式で着脱可能に取り付けられている。
【００１９】
そして、この回転把手装置は、枠体１に回転可能に設けられる操作軸３と、この操作軸３にビス８によって相対的に回転しないように締結され、枠体１内に格納されている回転把手２に形成された突片２３が当接することで回転把手２が回動操作されることを防止する係止片４１を形成したロック軸４と、操作軸３とロック軸４とを締結することで操作軸３に所定の大きさの回転抵抗を付与するウェーブワッシャ６とを備えるようにしている。
【００２０】
ここで、ウェーブワッシャ６は、ロック軸４と枠体１との間に介在させるようにし、さらに、必要に応じて、操作軸３と枠体１との間に、操作軸３と枠体１との摺接面同士が直接接触しないようにするための合成樹脂製スラセ５を介在させるようにしている。
【００２１】
この場合において、各部材は、金属、合成樹脂等の任意の材料で構成することができるが、本実施例においては、枠体１、回転把手２、操作軸３及びロック軸４は、亜鉛合金ダイキャスト（ＺＤＣ２）製のものを、合成樹脂製スラセ５は、ポリアセタール樹脂製のものを、ウェーブワッシャ６及びビス８は、ステンレススチール製のものを、それぞれ用いるようにしている。
【００２２】
操作軸３にロック軸４をビス８によって相対的に回転しないように締結するために、ロック軸４とビス８の着座面との間にステンレススチール製の皿形の歯付座金７を配設するようにしている。
【００２３】
操作軸３の回転抵抗の大きさは、操作軸３とロック軸４をビス８で締結した状態におけるウェーブワッシャ６を介在するロック軸４と枠体１との間の間隙の寸法、すなわち、操作軸３とロック軸４をビス８で締結した状態で決定されるロック軸４と枠体１との間に介在させたウェーブワッシャ６の圧縮量によって設定されるようにいる。
ここで、操作軸３の回転抵抗の大きさは、使用するウェーブワッシャ６（弾性力や厚み）を適宜選定することにより変えることができるが、本実施例においては、操作軸３の回転操作をドライバを使用しないとできない（指の爪等ではできない）程度に設定するようにしている。
【００２４】
枠体１に回転把手２を軸支するために、枠体１に、ステンレススチール製のスプリングピン９を介して、回転把手２を軸支するようにしている。
これにより、スプリングピン９によって、枠体１に軸支される回転把手２に回動抵抗を付与することができ、回転把手２のがたつきをなくすことができる。
【００２５】
この回転把手装置は、不使用時は、回転把手２の平板部２１が蓋体Ｆ（枠体１）の表面と略同一平面となるように把手部２２を蓋体Ｆ（枠体１）内に格納することにより、把手部２２が邪魔にならないようにされる。
このとき、操作軸３を回転操作して、ロック軸４の係止片４１を、枠体１内に格納されている回転把手２に形成された突片２３が当接する位置（「ＬＯＣＫ」位置）にすることで、回転把手２が回動操作されることを防止することができる。
【００２６】
一方、使用時（蓋体Ｆの開閉操作を行う際）は、操作軸３を回転操作して、ロック軸４の係止片４１を、枠体１内に格納されている回転把手２に形成された突片２３が当接しない位置にすることで、回転把手２の平板部２１の一端側を押圧して、枠体１に軸支された回転把手２を回動させると、蓋体Ｆ（枠体１）内に格納されていた把手部２２が蓋体Ｆ（枠体１）内から引き出されて、蓋体Ｆ（枠体１）の表面から突出するため、この把手部２２を把持して蓋体Ｆの開閉操作を行える。
このとき、操作軸３の回転抵抗の大きさを、操作軸３の回転操作をドライバを使用しないとできない（指の爪等ではできない）程度に設定することにより、認知症患者や乳幼児が、蓋体Ｆの開閉操作や回転把手装置の回転把手２の動作を自由に行うことができないようにすることができる。
【００２７】
以上、本発明の床開口蓋体用回転把手装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２８】
本発明の床開口蓋体用回転把手装置は、認知症患者や乳幼児が、蓋体の開閉操作や回転把手装置の回転把手の動作を自由に行うことができないようにすることができることから、高齢者住宅を含む住宅における床下収納庫や床下点検口の床開口に設けられている蓋体の開閉操作を行うための回転把手装置の用途に好適に用いることができる。
【符号の説明】
【００２９】
１  枠体
２  回転把手
２１  平板部
２２  把手部
２３  突片
３  操作軸
４  ロック軸
５  合成樹脂製スラセ
６  ウェーブワッシャ
７  歯付座金
８  ビス
９  スプリングピン
Ｆ  蓋体
【図１】
2018168629.tif 000003
【図２】
2018168629.tif 000004
【図３】
2018168629.tif 000005
【図４】
2018168629.tif 000006